(57)【要約】【課題】釣り糸が絡むのを防止できると共に、微妙な魚信を捉え易くすることができ、更に、集魚効果を高め、魚の餌への食い付きを良くことができると共に、釣り針への魚のかかりを良くし、且つ、ハリスの切れ、天秤本体の折れを防止することができる釣り用天秤を提供する。【解決手段】棒状体の長手方向中間部が屈曲して成る天秤本体５と、道糸６を結着するため天秤本体５の基端に設けられる道糸結着具７と、錘を吊下するため天秤本体５の屈曲部近傍に設けられる錘吊下具９と、天秤本体５の先端に基端が結着されて設けられるコイルバネ体１０と、コイルバネ体１０の所定長さ以上の伸張を規制すべくコイルバネ体１０の基端部と先端部とに夫々両端を結着されて設けられるバネ規制体１１と、ハリス１２を結着するためコイルバネ体１０の先端に設けられるハリス結着具１３とを備えた釣り用天秤１を提供する。【選択図】図１
0003147708.tif 000002
【実用新案登録請求の範囲】
【請求項１】
棒状体の長手方向中間部が屈曲して成る天秤本体と、道糸を結着するため前記天秤本体の基端に設けられる道糸結着具と、錘を吊下するため前記天秤本体の屈曲部近傍に設けられる錘吊下具と、前記天秤本体の先端に基端が結着されて設けられるコイルバネ体と、前記コイルバネ体の所定長さ以上の伸張を規制すべく前記コイルバネ体の基端部と先端部とに夫々両端を結着されて設けられるバネ規制体と、ハリスを結着するため前記コイルバネ体の先端に設けられるハリス結着具とを備えたことを特徴とする釣り用天秤。
【請求項２】
前記天秤本体は形状記憶合金で形成されていることを特徴とする請求項１記載の釣り用天秤。
【請求項３】
前記天秤本体は複数本の針金で形成され、前記天秤本体の基端から先端にかけて前記針金の本数が漸次減数するように形成されていることを特徴とする請求項１又は２記載の釣り用天秤。
【請求項４】
前記コイルバネ体は、外コイルバネの中に内コイルバネを内装する内外コイルバネから成る２重コイルバネで形成されることを特徴とする請求項１乃至３のうちいずれか一に記載の釣り用天秤。
【請求項５】
前記コイルバネ体は、前記２重コイルバネを２本直列につなぎ合わせて形成されることを特徴とする請求項４記載の釣り用天秤。
【請求項６】
前記バネ規制体は、形状記憶合金からなる針金で形成されていることを特徴とする請求項１乃至５のうちいずれか一に記載の釣り用天秤。
【考案の詳細な説明】
【技術分野】
【０００１】
本考案は、投げ釣り等に於いて、釣り糸が絡むことを防止するために用いられる釣り用天秤に関する。
【背景技術】
【０００２】
従来、投げ釣り等に於いては、主として釣り糸が絡むことを防止するため釣り用天秤が用いられている。
釣り用天秤は、更に、微妙な魚信を捉え易くする効果も期待できるものである。
一般的に、釣り用天秤は、道糸と錘との間に設けられる鋼線と、鋼線の錘近傍から略直角方向に張り出す鋼線とを備え、張り出す鋼線の先端から釣り針のついたハリスを吊下するものである。
釣り用天秤の先行文献としては、例えば、特許文献１及び特許文献２がある。
特許文献１は、魚信が得やすく、収納時にかさ張るという欠点をなくした釣り用天秤を提供するものである。
特許文献２は、錘の動ける範囲が大きいにもかかわらず天秤棒に絡み付くことがなく、且つ、微妙な魚信も敏感に大きく捉えることができる釣り用天秤を提供するものである。
【特許文献１】特開２００７−４４０２１号公報
【特許文献２】特開２００２−７８４３６号公報
【考案の開示】
【考案が解決しようとする課題】
【０００３】
前述したように、釣り用天秤は、釣り糸が絡むことを防止すると共に、微妙な魚信を捉え易くすることができる効果がある。
然しながら、従来の釣り用天秤では、釣果を上げるためのその他の課題、例えば、集魚効果を高めることや、魚の餌への食い付きを良くすること、釣り針への魚のかかりを良くすること、ハリスの切れ、天秤本体の折れを防止する等の課題が十分に解決されないため、釣果を上げるために、更に、種々の改善が求められている。
【０００４】
以上の現状に鑑み、本考案は、釣り糸が絡むのを防止できると共に、微妙な魚信を捉え易くすることができ、更に、集魚効果を高め、魚の餌への食い付きを良くことができると共に、釣り針への魚のかかりを良くし、且つ、ハリスの切れ、天秤本体の折れを防止することができる釣り用天秤を提供することを目的とする。
【課題を解決するための手段】
【０００５】
上記の課題を解決すべく、本考案は以下の構成を提供する。
請求項１に係る考案は、棒状体の長手方向中間部が屈曲して成る天秤本体と、道糸を結着するため前記天秤本体の基端に設けられる道糸結着具と、錘を吊下するため前記天秤本体の屈曲部近傍に設けられる錘吊下具と、前記天秤本体の先端に基端が結着されて設けられるコイルバネ体と、前記コイルバネ体の所定長さ以上の伸張を規制すべく前記コイルバネ体の基端部と先端部とに夫々両端を結着されて設けられるバネ規制体と、ハリスを結着するため前記コイルバネ体の先端に設けられるハリス結着具とを備えたことを特徴とする釣り用天秤を提供するものである。
【０００６】
請求項２に係る考案は、前記天秤本体は形状記憶合金で形成されていることを特徴とする請求項１記載の釣り用天秤を提供するものである。
【０００７】
請求項３に係る考案は、前記天秤本体は複数本の針金で形成され、前記天秤本体の基端から先端にかけて前記針金の本数が漸次減数するように形成されていることを特徴とする請求項１又は２記載の釣り用天秤を提供するものである。
【０００８】
請求項４に係る考案は、前記コイルバネ体は、外コイルバネの中に内コイルバネを内装する内外コイルバネから成る２重コイルバネで形成されることを特徴とする請求項１乃至３のうちいずれか一に記載の釣り用天秤を提供するものである。
【０００９】
請求項５に係る考案は、前記コイルバネ体は、前記２重コイルバネを２本直列につなぎ合わせて形成されることを特徴とする請求項４記載の釣り用天秤を提供するものである。
【００１０】
請求項６に係る考案は、前記バネ規制体は、形状記憶合金からなる針金で形成されていることを特徴とする請求項１乃至５のうちいずれか一に記載の釣り用天秤を提供するものである。
【考案の効果】
【００１１】
本考案の請求項１記載の考案によれば、釣り糸が絡むことを防止できると共に、微妙な魚信を捉え易くすることができ、更に、集魚効果を高め、魚の餌への食い付きを良くことができると共に、釣り針への魚のかかりを良くし、且つ、ハリスの切れ、天秤本体の折れを防止することができる釣り用天秤を提供することができる。
又、バネ規制体により、コイルバネ体の所定以上の伸張を規制できると共に、規制された時点からバネ規制体自体によって、魚の引きに対抗することができ、或いは、釣り人の釣り竿を引き上げる力を魚に伝えることができる。
【００１２】
請求項２記載の考案によれば、請求項１記載の考案の効果に加え、天秤本体は形状記憶合金で形成されているので、適度な弾性としなりを有し、更に、集魚効果を高めることができると共に、釣り針への魚のかかりを良くすることができ、又、自在に屈曲させて、コンパクトに収納することができる。
【００１３】
請求項３記載の考案によれば、請求項１又は２記載の考案の効果に加え、天秤本体の基端から先端にかけて針金の本数が漸次減数するように形成されているので、天秤本体の先端側が十分しなるように構成できる。
【００１４】
請求項４記載の考案によれば、請求項１乃至３のうちいずれか一に記載の考案の効果に加え、コイルバネ体は、２重コイルバネで形成されているので、魚の強い引きに十分対応できる。
【００１５】
請求項５記載の考案によれば、請求項４記載の考案の効果に加え、前記コイルバネ体は、前記２重コイルバネを２本直列につなぎ合わせて形成されるので、長くなったコイルバネ体により、いっそう、餌が活発且つ大きく動き、集魚効果を高めると共に、魚の餌への食い付きを良くことができる。
【００１６】
請求項６記載の考案によれば、請求項１乃至５のうちいずれか一に記載の考案の効果に加え、コイルバネ体の所定以上の伸張を確実に規制できると共に、規制された時点からバネ規制体自体の強度によって、強い力で魚の引きに対抗することができ、或いは、釣り人の釣り竿を強く引き上げる力を魚に伝えることができ、更に、バネ規制体そのものは屈曲させて、コンパクトに収納することができる。
【考案を実施するための最良の形態】
【００１７】
以下、実施例を示した図面を参照しつつ本考案の実施の形態を説明する。
図１（ａ）に於いて、１は、本考案による、例えば「イトヨリ」等の釣り具として用いられる釣り用天秤であり、釣り用天秤１は、形状記憶合金で形成されると共に、棒状体の長手方向中間部が直角よりもやや鋭角に（例えば「レ」の字状に）屈曲され、屈曲部２の両端に、比較的短い主軸部３と比較的長い支軸部４とが夫々形成される天秤本体５と、道糸６を結着するため天秤本体５の基端に設けられる道糸結着具７と、錘（図示せず）を吊下するため、支軸部４の屈曲部２近傍に設定される吊下部８に設けられる錘吊下具９と、天秤本体５の先端に基端が結着されて設けられるコイルバネ体１０と、コイルバネ体１０の所定長さ以上の伸張を規制すべくコイルバネ体１０の基端部と先端部とに夫々両端を結着されて設けられ、形状記憶合金からなる針金で形成されるバネ規制体１１と、ハリス１２を結着するためコイルバネ体１０の先端に設けられるハリス結着具１３とを備えている。
【００１８】
前記天秤本体５は複数本の針金を束ねて形成されており、天秤本体５の基端から先端にかけて針金の本数が漸次減数するように形成されている。例えば、天秤本体５の基端から屈曲部２を超える部分まで（主軸３から支軸部４の基端部まで）は３本の針金で形成され、それから先端側に向かい、先端近傍まで（支軸部４基端部から先端近傍まで）は２本の針金で形成され、先端近傍から先端まで（支軸部４先端近傍から先端まで）は１本の針金で形成され、夫々の複数の針金及び繋ぎ目は結束具１４，１４…によって結束されている。
尚、天秤本体５を複数本の針金を束ねて形成する代わりに、天秤本体５の基端から先端に向かって太い針金から漸次細い針金へと一本づつ、つなぎ合わせて天秤本体５を形成することも可能である。
又、前記天秤本体５は、屈曲部２の両端に、比較的短い主軸部３と比較的長い支軸部４とが夫々形成されるが、それに代えて、主軸部３の下端部に別部品の支軸部４を固着して天秤本体５を形成してもよい。
【００１９】
前記コイルバネ体１０は、図１（ｂ）に示す如く、外コイルバネ１５の中に内コイルバネ１６を内装する内外コイルバネから成る２重コイルバネで形成されている。これにより、コイルバネ体１０の反力を増大させることができ、魚の強い引きに十分対応できると共に、釣り手の強い引き上げ操作にも対応することができる。前記コイルバネ体１０は、例えば、負荷が掛からない状態で、全長７．５ｃｍ程度に形成される。
【００２０】
図２は、前記コイルバネ体１０が伸張した状態を示している。魚の引きにより、或いは、釣り手の操作によりハリス１２、又は、道糸６が引かれると、コイルバネ体１０はハリス１２、又は、天秤本体５に引かれて伸長し、バネ規制体１１の長さが許容する長さまで伸長すると、バネ規制体１１により規制がかかり、それ以上は伸長しない。
【００２１】
而して、前記釣り用天秤１を用いて釣をする場合は、まず、リール（図示せず）から繰り出され釣り竿（図示せず）の先端から延びるワイヤー等から成る道糸６を道糸結着具７に結着し、錘吊下具９に錘を取り付け、ハリス結着具１３にハリス１２を結着し、ハリス１２の先端に釣り針（図示せず）を取り付け、釣り針に餌を取り付ける。
【００２２】
そして、釣り竿を操作して投げ釣り動作を行なうと、錘と共に釣り用天秤１、釣り針が投げ出される。
錘及び釣り用天秤１が着水すると、錘が先に沈み、続いて錘に引かれて釣り用天秤１の屈曲部２が続き、釣り用天秤１の支軸部４の先端部及びコイルバネ体１０は遅れて沈み、その後にハリス１２と釣り針が沈むことになる。この場合、釣り用天秤１により、ハリス１２は道糸６と離れて沈んでいくので、ハリス１２が道糸６に絡むことを防ぐことができる。
【００２３】
釣り用天秤１及び釣り針が水底に到達せず、水中で停止した場合、或いは、釣り用天秤１又は錘が、一旦、水底に到達した後、釣り人が釣り用天秤１及び釣り針を水底から浮かした場合は、釣り用天秤１は、道糸６に吊下され、道糸結着具７を支点とする錘の重さと、釣り用天秤１の重さのバランスにより、主軸部２が図３に示すごとく斜め垂直の向きとなり、支軸部４が略水平の向きとなり、コイルバネ体１０は先端がやや下がった屈曲状態になり、或いは、状況によって、その状態で釣り用天秤１は傾いた姿勢となる。
この状態で、釣り用天秤１が、釣り竿の動き、釣手が船に乗っている場合は船の動き、水や波の動き等によって動かされると、天秤本体５の支軸部４先端部が活発に動き、更に、コイルバネ体１０の弾性によって、コイルバネ体１０の先端部がいっそう活発に動くため、それに伴い釣り針と餌が活発に動き、動きのある餌を捕食する魚、例えば「イトヨリ」等の集魚効果を高め、魚の餌への食い付きを良くことができる。
【００２４】
魚が釣り針にかかった場合は、魚の動きに伴う釣り針の動きにより、ハリス結着部１３が動き、その動きにより道糸結着部７を支点として錘側が動き、その動きが支軸部４及び主軸部３を介して道糸６に伝えられ、その動きを釣り人に伝えることができる。
この時、道糸結着部７から錘までの寸法が、道糸結着部７からハリス結着部１３までの寸法よりも短いので、道糸結着部７を支点とするテコの原理により、ハリス結着部１３にかかる魚の引きが強い引きとなって錘側に伝えられ、その動きが道糸６に伝えられ、釣り人は微妙な魚信を捉え易くなる。
【００２５】
又、魚が釣り針にかかって引いた場合に、コイルバネ体１０の弾力により適度な反力が生じ、釣り針への魚のかかりを良くすることができ、且つ、魚から釣り針が外れることを防止することができる。
更に、コイルバネ体１０の弾力によりハリス１２の切れ、天秤本体５の折れを防止することができる。
更に又、魚の引きが強くなり、或いは、釣り人が釣り竿を強く引き上げて、コイルバネ体１０が強い力で伸長した場合には、バネ規制体１１により、コイルバネ体１０の所定長さ以上の伸長が規制され、規制された時点からバネ規制体１１に力がかかり、バネ規制体１１の強度によって、強い力で魚の引きに対抗することができ、或いは、釣り人の釣り竿を強く引き上げる力を魚に伝えることができる。
【００２６】
釣り用天秤１が水底に到達した場合は、前述した魚の集魚効果を高めることは期待できないが、釣り用天秤１により、ハリス１２が、道糸６から離れた地点に落下することによりハリス１２が、道糸６に絡まることを防止できる。又、釣り用天秤１が水底に到達することにより、錘による重さに加え、釣り用天秤１の重さや、釣り用天秤１の水底面への係止により、仕掛けが流されにくいという効果も期待できる。
【００２７】
釣り用天秤１が水底に到達した場合に於いて、魚が釣り針にかかった場合は、魚の動き、又は、釣り竿の動きによって、道糸６及びハリス１２に張力が掛かり始めた時、前述した場合と同様に、魚の動きに伴う釣り針の動きにより、ハリス結着部１３が動き、その動きにより道糸結着部７を支点として錘側が動き、その動きが支軸部４及び主軸部３を介して道糸６に伝えられ、その動きを釣り人に伝えることができる。
【００２８】
図４に於いて、２１は、本考案による変形例の釣り用天秤であり、釣り用天秤２１は、前記コイルバネ体（図１に於いて１０）に代えて、前記コイルバネ体（図１に於いて１０）の２重コイルバネと同じ２重コイルバネ２２を２本直列につなぎ合わせたコイルバネ体２３を設けるものであり、それに合わせて前記バネ規制体（図１に於いて１１）に代えて、長さの長いバネ規制体２４を設けるものである。
例えば、２重コイルバネ２２が、負荷が掛からない状態で全長７．５ｃｍであれば、コイルバネ体２３は、つなぎ合わせ方法にもよるが、負荷が掛からない状態で全長１５ｃｍ乃至２０ｃｍ程度となる。
前記釣り用天秤２１によれば、釣りに於いて、全長が長くなったコイルバネ体２３の弾性によってその先端が活発且つ大きく動き、それに伴い餌が活発且つ大きく動き、集魚効果を高めることができ、且つ、魚の餌への食い付きを良くすることができる。
【図面の簡単な説明】
【００２９】
【図１】（ａ）本考案による釣り用天秤の正面図である。（ｂ）本考案による釣り用天秤のコイルバネ体部分の拡大正面図である。
【図２】本考案による釣り用天秤のバネ規制体がコイルバネ体の伸長を規制している状態を示す拡大正面図である。
【図３】本考案の釣り用天秤の釣をしている状態を示す正面図である。
【図４】本考案による変形例の釣り用天秤の正面図である。
【符号の説明】
【００３０】
１，２１  釣り用天秤
２  屈曲部
５  天秤本体
６  道糸
７  道糸結着具
９  錘吊下具
１０，２３  コイルバネ体
１１，２４  バネ規制体
１２  ハリス
１３  ハリス結着具
１５  外コイルバネ
１６  内コイルバネ
２２  ２重コイルバネ
【図１】
0003147708.tif 000003
【図２】
0003147708.tif 000004
【図３】
0003147708.tif 000005
【図４】
0003147708.tif 000006